(57)【特許請求の範囲】
【請求項１】
略長方形の平板状で入力部のある前面とその反対側の裏面と前記前面と前記裏面との間の側面とを有する携帯電子端末の前記裏面に取り付けられ、前記裏面に垂直な回転中心軸をもつ扁平な軸と、
前記軸の周囲を前記裏面に沿って回転する扁平なホイールと、
前記軸に取り付けられ前記ホイールが前記軸から抜け落ちるのを防ぐ抜け止め部と、
前記ホイールの外周に接続し前記軸の前記回転中心軸に垂直な棒状且つ断面板状のレバーとを有し、
前記ホイールを回転させることにより、前記レバーを前記側面から突出させたり、引っ込めて前記裏面に沿わせたりすることができ、
前記レバーが前記側面から引っ込められ前記裏面に沿っている時には前記レバーを指の間に挟むことが出来ず、
前記レバーが前記側面から突出している時には前記レバーのうちの前記突出した部分を指の間に挟むことができ、
前記レバーが前記側面から突出している時に、前記レバーを側面で親指以外の指の間に挟みながら、前記親指以外の指の先を前記携帯電子端末の前記裏面側に当てて保持し、親指にて前記入力部を押して使用する携帯電子端末保持具。
【請求項２】
前記レバーの先端部の最大幅が前記レバーの中間部の最小幅より太くなっている請求項１に記載の携帯電子端末保持具。
【請求項３】
前記回転中心軸を前記長方形の相対する長辺となる二つの前記側面から等距離に置く請求項１に記載の携帯電子端末保持具。
【請求項４】
前記回転中心軸を前記長方形の相対する短辺となる二つの前記側面に対して片側側面に近く片寄せることにより、前記レバーの突出する位置が、一つの前記片側側面と前記長方形の相対する長辺となる二つの前記側面との三つの方向にそれぞれ出るようにした請求項１に記載の携帯電子端末保持具。
【請求項５】
略長方形の平板状で入力部のある前面とその反対側の裏面と前記前面と前記裏面との間の側面とを有する携帯電子端末の前記裏面に取り付けられ、前記裏面に垂直な回転中心軸をもつ扁平な軸と、
前記軸の周囲を前記裏面に沿って回転する扁平なホイールと、
前記軸に取り付けられ前記ホイールが前記軸から抜け落ちるのを防ぐ抜け止め部と、
前記ホイールの外周に接続し前記軸の前記回転中心軸に垂直な棒状且つ断面板状のレバーとを有し、
前記ホイールの回転させることによって、前記レバーを前記側面から突出させたり、引っ込めて前記裏面に沿わせたりすることができ、
前記レバーが前記側面から引っ込められ前記裏面に沿っている時には前記レバーを指の間に挟むことが出来ず、
前記レバーが前記側面から突出している時には前記レバーのうちの前記突出した部分を指の間に挟むことができ、
使用時には、前記ホイールを回転させて前記レバーを前記側面から横に突出する位置にし、前記レバーを側面で親指以外の指の間に挟みながら、前記親指以外の指の先を前記携帯電子端末の前記裏面に当てて保持し、親指で入力することにより使用し、
不使用時には、前記ホイールを回転させて前記レバーを引っ込めて前記裏面に沿わせて収納する携帯電子端末の使用方法。
【請求項６】
前記レバーが前記前面側に曲がって前記前面側に突出する機構を有する請求項１に記載の携帯電子端末保持具。
【請求項７】
前記レバーが可撓性を有する請求項１に記載の携帯電子端末保持具。
【請求項８】
略長方形の平板状で入力部のある前面とその反対側の裏面と前記前面と前記裏面との間の側面とを有する携帯電子端末の前記裏面に取り付けられ、前記裏面に垂直な回転中心軸をもつ扁平な軸と、
前記軸の周囲を前記裏面に沿って回転する輪状の扁平なホイールと、
前記軸に取り付けられ前記ホイールが前記軸から抜け落ちるのを防ぐ抜け止め部と、
前記ホイールの外周に接続し前記軸の前記回転中心軸に垂直なレバーとを有し、
前記レバーを前記側面から横に突出する位置にして、前記レバーを前記前面側に曲げ、前記レバーの先端を掌に当てて使用する携帯電子端末の使用方法。
【発明の詳細な説明】
【技術分野】
【０００１】
本発明は携帯電話の手による保持を確実にし且つ操作性を高める保持具および保持方法に関する。
【背景技術】
【０００２】
スマートフォンと呼ばれるタイプの携帯電話は、最近その画面サイズが徐々に大きくなってきている。画面サイズはその対角線の長さをインチ数で表す呼び方で一般に表される。従来は４インチ程度のものが多かった。最近は５インチあるいはそれ以上のものが増えてきつつある。当然、全体の大きさも、従来は縦１２ｃｍ程度、横幅６ｃｍ程度であったものが、縦１３ｃｍ以上、横幅７ｃｍ以上と大型化している。
【０００３】
スマートフォンは、その画面部分を指で押して入力する方法が採られている。即ち、表示部が入力部を兼ねている。入力する範囲は画面の全体に亘る。通常、入力する時には、両手を使う方法と、片手だけを使う方法がある。両手を使い、一方の手で機器を支えてもう一方の手の指で入力する方法では、両手が塞がってしまうので、カバンを持ちながら入力とか、鉛筆で書きながら入力とかの「ながら作業」が出来ない。片手だけを使う方法では、親指以外の人差し指から小指までの四本をスマートフォンの裏側に当ててスマートフォンを支え、親指で画面の所望の位置を押す方法が採られる。この場合、親指で押す位置が端のほうだったり、親指で押す力が強すぎたりすると、スマートフォンが手から滑って落ちてしまう。特に、スマートフォンの画面が５インチ以上と大型化するに従い、親指以外の人差し指から小指までの四本で支える面積が裏面の大きさに比して相対的に狭くなり、スマートフォンが手から滑って落ちやすくなっている。
【０００４】
この手からの落下を防止する為に、リング状の指差しをスマートフォンの裏面に取り付けることが、従来からなされている。図１５にリングを取り付けたスマートフォンの裏面斜視図を示す。図１５において、スマートフォン１の裏面４のほぼ中央に、土台２２が取り付けられ、土台２２の中央にリング受け２３が自転可能で取り付けられている。リング受け２３に開けられた穴２４にリング２１が通されている。リング２１は穴２４の中で可動となっている。
【０００５】
図１６にリングを取り付けた携帯電子端末の使用時の裏面の斜視図を示す。リング２１には通常は中指３３を入れて使用されることが多い。リング２１には、その他の人差し指３２、薬指３４、小指３５のどの指を入れても良い。リング２１は、リング受け２３の自転とリング２１自身の可動により、それぞれの指に適した自在な位置で指を通すことが出来る。指を一本入れることにより、親指３１と他の指とで挟んで保持しなくても、スマートフォン１が手から落下することを防止することができる。
【０００６】
しかし、親指３１で画面の遠くの端のほうを押そうとすると、それに引かれてリング２１に入れている指が抜けそうになり、スマートフォン１を落としそうになる。即ち、保持が不安定で、大きな画面のスマートフォンへの適用には問題があった。
【０００７】
本願発明は、このような問題を解決し、大きなサイズのスマートフォンでも安定した保持ができて落下せず、しかも、片手で持ったまま、その片手の親指で広い範囲の入力ができる携帯電子端末保持具を提供するものである。
【先行技術文献】
【特許文献】
【０００８】
【特許文献１】特開平６−３１８９７２号公報
【特許文献２】特開２００２−１５２３５２号公報
【特許文献３】特許登録第５３７０６００号公報
【発明の概要】
【発明が解決しようとする課題】
【０００９】
スマートフォンが大きくなるにつれて、手から落下し易くなってきた。また、従来の落下防止の器具は安定した入力の範囲が狭いものであった。
【００１０】
本願は、このような課題を解決し、大きなサイズのスマートフォンでも安定した保持ができて落下せず、しかも親指で大きな範囲の入力ができる携帯電子端末保持具を提供しようとするものである。
【課題を解決するための手段】
【００１１】
上記の目的を達成するために、本発明は、略長方形の平板状で入力部のある前面とその裏面とを有する携帯電子端末の前記裏面に取り付けられ、前記裏面に垂直な回転中心軸をもつ扁平な軸と、前記軸の周囲を前記裏面に沿って回転するホイールと、前記軸に取り付けられ前記ホイールが前記軸から抜け落ちるのをを防ぐ抜け止め部と、前記ホイールの外周に接続し前記軸の前記回転中心軸に垂直なレバーとを有し、前記レバーは、前記ホイールの回転角度により、前記側面から突出させたり、引っ込めて前記裏面に沿わせたりできる携帯電子端末保持具を提供する。
【発明の効果】
【００１２】
本発明によると、レバーを親指以外の指同士の間に置いて持つことにより、安定した保持が可能となり、その片手の親指で広い入力範囲に入力することができる。使った後で仕舞い込む時も簡単である。簡便な手段で、携帯電子端末の保持を確実にしながら、且つ、携帯電子端末の片手ハンドリングができるものである。
【図面の簡単な説明】
【００１３】
【図１】図１は本発明の携帯電子端末保持具の第１の実施形態の裏面の斜視図。
【図２】図２は本発明の携帯電子端末保持具の第１の実施形態の不使用時の裏面の斜視図。
【図３】図３は本発明の携帯電子端末保持具の第１の実施形態の断面図。
【図４】図４は本発明の携帯電子端末保持具の第１の実施形態の使用時の斜視図。
【図５】図５は本発明の携帯電子端末保持具の第１の実施形態の裏面の斜視図。
【図６】図６は本発明の携帯電子端末保持具の第１の実施形態の使用時の斜視図。
【図７】図７は本発明の携帯電子端末保持具の第２の実施形態の裏面の斜視図。
【図８】図８は本発明の携帯電子端末保持具の第２の実施形態の不使用時の裏面の斜視図。
【図９】図９は本発明の携帯電子端末保持具の第２の実施形態の矢示図。
【図１０】図１０は本発明の携帯電子端末保持具の第２の実施形態の使用時の矢示図。
【図１１】図１１は本発明の携帯電子端末保持具の第２の実施形態の斜視図。
【図１２】図１２は本発明の携帯電子端末保持具の第２の実施形態の矢示図。
【図１３】図１３は本発明の携帯電子端末保持具の第２の実施形態の使用時の矢示図。
【図１４】図１４は本発明の携帯電子端末保持具の第２の実施形態の使用時の矢示図。
【図１５】図１５は従来のリングを取り付けた携帯電子端末の裏面の斜視図。
【図１６】図１６は従来のリングを取り付けた携帯電子端末の使用時の斜視図。
【発明を実施するための形態】
【００１４】
以下、本発明の実施の形態について、図面を参照して説明する。
【実施例１】
【００１５】
図１〜図４を参照して、第１の実施の形態の携帯電子端末保持具の構成について説明する。図１は本発明の携帯電子端末保持具の第１の実施形態の裏面の斜視図である。図２は本発明の携帯電子端末保持具の第１の実施形態の不使用時の裏面の斜視図である。図３は本発明の携帯電子端末保持具の第１の実施形態の断面である。図４は本発明の携帯電子端末保持具の第１の実施形態の使用時の手を含めた斜視図である。
【００１６】
図１において、携帯電子端末であるスマートフォン１は、全体が長方形の平板状をしており、表示部兼入力部のある前面２（図示せず）とその反対側の裏面４とその間に４つの側面５ａ、５ｂ、５ｃ、５ｄを有している。裏面４と側面５ａ、５ｂ、５ｃ、５ｄとは厚み約１ｍｍのカバー１３でぴったりと覆われている。このカバー１３はスマートフォン１を傷や衝撃から保護するためのものである。カバー１３を介して裏面４には裏面に垂直な回転中心軸６ｂをもつ扁平な軸６（図において破線の内側）が取り付けられている。この軸６の周囲には、裏面４に沿って回転する輪状の扁平なホイール７が嵌め込まれている。また、ホイール７が軸６から抜け落ちるのを防ぐ抜け止め部６ａが軸６から外周方向に張り出してホイール７の内周の上を覆っている。ホイール７の外周の一部には、軸６の回転中心軸６ｂに対して垂直方向に棒状のレバー８が接続されている。この実施の形態では、ホイール７とレバー８とは一体物として一枚のプラスチック板で形成されている。レバー８の先端部８ａは中間部８ｂよりも幅広になっている。また、レバー８は、裏面４から側面５ａ方向に伸びて側面５ａから横に約３ｃｍ突き出ている。この状態でこのスマートフォン１が使用される。この構成のスマートフォン１とカバー１３以外の部分を総称して保持具と呼ぶ。
【００１７】
ホイール７とそれに接続されているレバー８は軸６の周りを回転する。図２は、図１の位置から少し回転した状態を表す。約７０度ほど回転し、レバー８全体が裏面４にぴったりと沿っている。そして、どの側面からも突き出さずに引っ込んでいる。スマートフォン１の不使用時には、このように突出物が殆ど無い嵩の低い状態でポケットやバッグの中に収納される。このように、レバー８は、回転させることにより、図１のように側面５ａから突出させたり、あるいは、図２のようにどの側面からも突出させずに裏面４に沿わせたりできる。
【００１８】
図３は図２のＡ−Ａに沿った断面図である。図３によりホイール７の回転機構を詳しく説明する。ここでは、スマートフォン１は、その横幅が約７ｃｍで厚みが約８ｍｍである。その裏面４にカバー１３が固定されており、カバー１３の上に直径約２．５ｃｍで高さが３ｍｍの扁平な軸６が接着されている。その周囲に外径約５ｃｍで内径約２．７ｃｍ、厚みは２ｍｍ弱の輪状の扁平なホイール７が嵌め込まれている。更に、軸６のおもて側には外径約４ｃｍで厚み１ｍｍの抜け止め部６ａが軸６の外周に出っ張っている。ホイール７はカバー１３にも軸６にも抜け止め部６ａにも接合されていないので、自由に軸６の周囲を裏面４に沿って回転することができる。そして、ホイール７の内径より径の大きい抜け止め部６ａが上にかぶさっているので、ホイール７は軸６から抜け落ちることはない。
【００１９】
保持具全体の厚みは、先の説明で判るように、合計４ｍｍ程度と非常に薄いので、スマートフォン１の裏面４に取り付けても殆ど携帯時の障害とならない。しかも、可動部であるホイール７も、手の力が加わることになるレバー８も、厚み２ｍｍ程度の硬質プラスチックなので、多少の力では変形することもない。
【００２０】
図４は本発明の携帯電子端末保持具の第１の実施形態の使用時の斜視図である。図１の状態のものを右手で持ったところである。突き出たレバー８の中間部８ｂを、右手の中指３３と薬指３４との間になるように指を差し入れ、人差し指３２、中指３３、薬指３４、小指３５の先をカバー１３を介してスマートフォン１の裏面４（図示せず）に当てる。指の先は部分的に軸６または抜け止め部６ａ（図示せず）にも当たるが、軸６も抜け止め部６ａも厚みの薄いものなので、感覚的には指を裏面４に当てているのと同じである。この状態で、親指３１にてスマートフォン１の前面２にある画面である入力部３を押すと入力することができる。しかも、レバー８が指の間に引っかかっているのでスマートフォン１は手から落下しにくい。
【００２１】
レバー先端部８ａは最大幅３０ｍｍであり、レバー中間部８ｂの最小幅８ｍｍよりも幅広に太くなっている。このレバー先端部８ａはスマートフォン１の側面から突出している。そして、レバー中間部８ｂの最小幅の部分も側面５ａから突出している。この最小幅部分を中指３３と薬指３４との間に位置させる。すると、中指３３と薬指３４との間隔が約８ｍｍになるので、レバー８が指の間から抜けようとするときにも、３０ｍｍ幅のレバー先端部８ａが引っかかり、落下しにくくなっている。
【００２２】
レバー８の突出する寸法は、中指などの指の厚みが一般人では凡そ２ｃｍ程度であり、その指の間に挟むことになるので、少なくとも約２ｃｍ以上の突出が必要である。反対に長ければ、確実に指の間に挟まれることになるが、長ければ長いほど裏面４に沿わせて引っ込めることが難しくなる。本願発明を機能させるに十分な突出長さは最大５ｃｍ程度であって、それ以上長くても発明の効果を更に高めるものではない。
【００２３】
以上の説明は、右手でスマートフォン１を持つ場合のものであるが、左手でも全く同様のことができる。ホイール７は任意の位置に回転して静止摩擦で留まるので、右手で使った側面５ａとは反対の側面５ｂから突出させて留める。次に右手で説明した内容と左右対称のことを行えば、左手でも全く同じ操作ができる。このとき、軸６の回転中心軸６ｂを長方形であるスマートフォン１の相対する長辺となる二つの側面５ａと側面５ｂとから等距離に置くと、即ちスマートフォン１の中心線上に位置させると、レバー８の側面からの突出量を左右全く同じにできるので、左右の手で全く同じ感覚で持つことが出来る。
【００２４】
次に図５と図６とを用いて、第１の実施形態の更なる応用を説明する。図５は本発明の携帯電子端末保持具の第１の実施形態の裏面の斜視図である。図５および図６において先の図面と共通するものは同じ符号で示している。図５においては、レバー８はスマートフォン１では下側に相当する側面５ｄから横に突き出ている。この位置でレバー８を留める。そして、このレバー８を手で持ったところを表したのが、図６である。このように、レバー８を側面５ｄから突き出させるには、スマートフォン１は略長方形なので、回転中心軸６ｂの位置を相対する短辺５ｃと５ｄとのうち、片方５ｄ側に近く片寄せて位置させることが必要である。位置を片寄せることにより、側面５ｄ側にレバー８を突出させることができると同時に、逆に、レバー８を回転させて側面５ｃ側に持ってきた時に、その長さより側面５ｃまでの距離が長いので、図２に見られる如くに、レバー８はどの側面からも突出せず、裏面に沿い、側面からの出っ張りがなくなり、収納に便利となる。
【００２５】
図６は本発明の携帯電子端末保持具の第１の実施形態の使用時の斜視図である。先述の図４での持ち方は携帯電子端末をポートレートに持った場合であるが、この図６ではランドスケープに持った場合の持ち方である。突き出たレバー８の中間部８ｂを、右手の人差し指３２と中指３３との間になるように指を差し入れ、人差し指３２、中指３３、薬指３４、小指３５の先をケース１３を介しスマートフォン１の裏面４（図示せず）に当てる。指の先は部分的に抜け止め部６ａ（図示せず）にも当たる。この状態で、親指３１にてスマートフォン１の前面２にある画面である入力部３を押すと入力することができる。なお、持つ手の個人差により親指入力の場所は異なるので、各々の個人の好みに応じて中指３３と薬指３４との間にレバー８を入れて持っても構わない。
【００２６】
以上説明したように、レバー８はホイール７と一緒に回転し、任意の角度で留められるので、略長方形形状のスマートフォン１の長辺である側面５ａや側面５ｂから突き出すことも、また、略長方形形状のスマートフォン１の短辺である側面５ｄから突き出すこともできる。即ち、レバー８は、三つの方向の側面それぞれから突き出すことができる。また、どの側面からも突き出さない位置にすることもできる。このような構造をしているので、右手で保持することもでき、左手で保持することもでき、ポートレートで保持することもでき、ランドスケープで保持することもでき、またコンパクトに収納することもできる。
【００２７】
なお、本実施の形態ではホイール７とレバー８とを一体物として一枚のプラスチック板で形成したが、この構成には長所がある。レバー８は指が当たって力がかかる。その応力は、レバー８が曲がるようにも働き、ホイール７が抜け落ちるようにも働く。このときに、本実施の形態ではホイール７とレバー８とが一体物で作られているので、応力の集中が少なく、レバー８とホイール７の全体に亘って応力が分散され耐久性が増す。
【実施例２】
【００２８】
図７から図１４を参照して第２の実施の形態について説明する。図７は本発明の携帯電子端末保持具の第２の実施形態の裏面の斜視図である。図７において先の図面と共通するものは同じ符号で示している。携帯電子端末であるスマートフォン１は全体が長方形の平板状をしており、表示部兼入力部のある前面２（図示せず）とその反対側の裏面４と前記前面２と前記裏面との間に４つの側面５ａ、５ｂ、５ｃ、５ｄを有している。裏面４には、カバー１３を介して裏面に垂直な回転中心軸６ｂをもつ扁平な軸６（図において破線の内側）が取り付けられている。この軸６の周囲には、裏面４に沿って回転する輪状の扁平なホイール７が嵌め込まれている。軸６に取り付けられたホイール７が軸６から抜け落ちるのを防ぐ抜け止め部６ａが軸６から外周方向に張り出してホイール７の内周を覆っている。抜け止め部６ａの上に薄い平板状のフラップ１１が乗っており、フラップ１１に連続して棒状のレバー８が軸６の回転中心軸６ｂと垂直の方向に長く形成されている。フラップ１１とレバー８とは一体物として少し屈曲したプラスチックの板でできている。レバー８は幅の狭い中間部８ｂと、幅の広いレバーの先端部８ａとを有している。レバー先端部８ａは側面５ａから約４ｃｍ突き出している。
【００２９】
図８は本発明の携帯電子端末保持具の第２の実施形態の不使用時の裏面の斜視図である。フラップ１１とレバー８とはホイール７に接続されていて、ホイール７の回転に応じて同じく回転する。図７の状態からホイール７を回転させると、それに連れてレバー８も回転する。図８では、このレバー８はどの側面からも突出せずに引っ込んで、裏面４にほぼぴったりと沿っている。スマートフォン１の不使用時には、このように突出物が殆ど無い状態で嵩張ることなくポケットやバッグの中に格納される。
【００３０】
図９は本発明の携帯電子端末保持具の第２の実施形態の矢示図であり、図７のスマートフォン１と保持具とを図７の矢印Ｂ方向から見た図である。スマートフォン１の裏面４側には、ホイール７があり、抜け止め部６ａによって軸６（図示せず）から抜けないようになっている。ホイール７の一部にはホイール伸長部７ａがあり、その先に蝶番の動きをするヒンジ１２の一端が取り付けられている。ヒンジ１２の他の一端はレバー８に取り付けられている。レバー８とフラップ１１とは一枚の板状プラスチックを一部分変形させて作成されたものであり、板の厚みは約２ｍｍである。
【００３１】
図１０は本発明の携帯電子端末保持具の第２の実施形態の使用時の矢示図である。図９のものを右手で持ったときの状態を、図９同様に図７の矢印Ｂ方向から見たことろを表す。手での持ち方は第１の実施の形態の図４に示したものと全く同じである。突き出たレバー８の中間部８ｂを、右手の中指３３と薬指３４との間になるように指を差し入れ、人差し指３２、中指３３、薬指３４、小指３５の先をスマートフォン１の裏面４またはその上にある軸６、抜け止め部６ａまたはフラップ１１に当てる。この状態で、親指３１にてスマートフォン１の前面２にある入力部３（図示せず）を押して入力することができる。レバー８が指の間に引っかかっており、また、レバー先端部８ａがレバー中間部８ｂよりも幅広に太くなっているのでレバー８が指の間から抜けようとするときにも引っかかり、落下しにくくなっている。レバー８とフラップ１１とは、スマートフォン側に対しヒンジ１２の一点で接合されているだけである。しかし、図１０のように持つと、スマートフォン１の重さが抜け止め部６ａからフラップ１１に加わり、しかもフラップ１１は指で支えているので、フラップ１１と抜け止め部６ａとの間で押し合う力により固定される。結局、図４で説明したレバーの保持状態と全く同様となり、保持が安定している。また、レバーを突き出す側面を変えると、左手でも持てるし、ランドスケープでも持てる。これも第１の実施の形態と同様である。
【００３２】
ここまでの説明による作用効果は、第１の実施の形態とほぼ同様であるが、次に、図１１以下で、第２の実施の形態に固有の特長を説明する。図１１は本発明の携帯電子端末保持具の第２の実施形態の斜視図である。図１１において先の図面と共通するものは同じ符号で示している。先に説明したとおり、レバー８とフラップ１１との一体物は、ホイール７とヒンジ１２で接合されている。レバー８とフラップ１１とは、このヒンジを中心に回転することができる。図１１の状態は、図８の状態からヒンジ１２を中心にレバー８が９０度回転したものである。フラップ１１が抜け止め部６ａから浮き上がり、レバー８は前面２側に曲がって側面５ａに当たっている。
【００３３】
図１２は本発明の携帯電子端末保持具の第２の実施形態の矢示図である。図１２は、図１１の矢印Ｃの方向から見た図である。フラップ１１とレバー８とがヒンジ１２を中心に９０度回転し、前面２側に直角に曲がって垂直に立った状態になっている。回転は、レバー８が側面５ａを覆うカバー１３に当たることで止まる。スマートフォン１の前面２が下（地面の方向）向きになっている。レバー８の先端部８ａは約３ｃｍ程度スマートフォン１の前面２から下に突き出している。
【００３４】
図１３は本発明の携帯電子端末保持具の第２の実施形態の使用時の矢示図である。図１２の状態のスマートフォン１を右手に持った状態を、図１２同様に図１１の矢印Ｃ方向から見た図である。右手の掌３６にレバー８の先端部８ａを少し食い込ませるようにしっかり当てて、フラップ１１の端に人差し指３２、中指３３、薬指３４（図示せず）の第一関節内側を引っかけて軽く握るように力を入れて持つ。
【００３５】
このように持つことで、スマートフォン１を前面２が下向きの状態で安定に保持することができる。スマートフォン１の自重でスマートフォン１がヒンジ１２を中心に反時計回りに回転する力かかる。その力が側面５ａに加えられ、レバー８で受け止められることにより静止し、側面５ａとレバー８とが固定される。更に、その応力がレバー先端部８ａに加わり、これを掌で受けとめるので、保持が安定しているのである。
【００３６】
このとき、親指３１は保持に関与しておらす自由に動かすことが出来るので、この親指３１にて前面２上にある入力部３（図示せず）の所望の位置を押すことが出来る。即ち、スマートフォン１を前面２下向きにして片手の親指で楽に入力することができる。つまり、仰向けに寝た態勢でスマートフォンを片手で自由に操作できるものである。
【００３７】
レバー８は掌３６に当てるので、前面２から突出する長さを余り長くし過ぎると、親指が前面２に届かなくなる。しかし突出する長さが僅かであると親指３１の根本が入力部３に当たってしまい、正しく入力することができない。手の大きさにもよるが、突出長さは約２ｃｍから７ｃｍ程度が適当である。
【００３８】
この実施の形態において、レバー８を可撓性にすることができる。その場合の長所の説明を図１４を用いて行う。図１４は図１３同様に図１１の矢印Ｃ方向から見た図である。レバー８が撓むものであると、手に力を入れて握ると、掌３６が先端部８ａを強く押し、レバー８が撓んで湾曲する。そこで、親指３１が前面２の遠くに届いて、掌３６から遠くの部分の入力ができる。このように、可撓性のレバーの湾曲度を様々に変えることにより、入力部３の広い範囲に亘り容易に親指入力が出来る。
【００３９】
なお、上記の一連の操作をする場合、中指３３と薬指３４とはレバー中間部８ｂを挟んでいるのであるが、両方の指に力を入れてレバー中間部８ｂを両側から挟み込む必要は無い。レバー中間部８ｂを両方の指の間に位置させているだけで十分である。なぜなら、レバー先端部８ａが両方の指の甲に当たっているので、レバー８は抜け落ちず、携帯電子端末１が手から落下することはない。
【００４０】
なお、抜け止め部はホイールが軸から脱落するのを防止する目的のものであるので、ホイールを全て覆う必要は無い。局部的に数箇所でホイールを押さえるだけの機構でもよい。また、軸の中間部に脱落防止の機構を設けてもよい。また、上記の各実施の形態での軸は、外周が完全円周である例を示したが、本願発明は完全円周の軸に限るものではない。輪状のホイールの内側にあってホイールの回転軌道の中心軸を規定する外周を持つものであれば、本願発明の作用効果を損なうものではない。同様に、上記の各実施の形態でのホイールは、内周が完全円の輪となっている例を示したが、本願発明は完全円の輪となっているホイールに限るものではない。回転するものであればよい。
【００４１】
なお、上記の各実施の形態での軸は、スマートフォンを保護するカバーの裏面に取り付けられた例を示したが、本願発明はカバーに軸を取り付ける構造に限るものではない。スマートフォン本体の裏面に直接軸を取り付けても良い。
【００４２】
なお、上記の各実施の形態はスマートフォンのみについて記したが、本願発明はスマートフォンに限るものではない。略長方形の平板状で入力部のある前面２とその反対側の裏面と前記前面２と前記裏面との間の側面とを有する携帯電子端末であればどれでも適用可能である。例えば、タブレット型ＰＣでも適用できるし、普通のボタン入力式の携帯電話機にも適用可能である。
【産業上の利用可能性】
【００４３】
本発明の携帯電子端末保持具は、簡便な手段で、携帯電子端末の保持を確実にしながら、多様で操作性のよい入力が可能となり、且つ、片手単独での操作性が増し、有用である。
【符号の説明】
【００４４】
１    スマートフォン
２    前面
３    入力部
４    裏面
５ａ、５ｂ、５ｃ、５ｄ    側面
６    軸
７    ホイール
８    レバー
１１    フラップ
１２    ヒンジ
１３    カバー
２１    リング
２２    土台
２３    リング受け
２４    穴
３１    親指
３２    人差し指
３３    中指
３４    薬指
３５    小指
３６    掌
【図１】
0005999533.tif 000002
【図２】
0005999533.tif 000003
【図３】
0005999533.tif 000004
【図４】
0005999533.tif 000005
【図５】
0005999533.tif 000006
【図６】
0005999533.tif 000007
【図７】
0005999533.tif 000008
【図８】
0005999533.tif 000009
【図９】
0005999533.tif 000010
【図１０】
0005999533.tif 000011
【図１１】
0005999533.tif 000012
【図１２】
0005999533.tif 000013
【図１３】
0005999533.tif 000014
【図１４】
0005999533.tif 000015
【図１５】
0005999533.tif 000016
【図１６】
0005999533.tif 000017